(57)【要約】【課題】  簡単で安価な構成で防水性能や防塵性能を保証でき、且つ、ラボでのフィルムの取り出しが容易に行えるようにしたレンズ付きフィルムユニット。【解決手段】  予め未露光のフィルムが装填されたレンズ付きフィルムユニットにおいて、プラスチックから形成され、少なくとも撮影レンズが位置する前面を含む前記レンズ付きフィルムユニットを被覆する複数のケース部材と、所定の前記ケース部材の縁部と他の前記ケース部材の縁部との間隙、または所定の前記ケース部材の縁部と前記レンズ付きフィルムユニットより突出した突出部の縁部との間隙を被覆するシュリンクフィルムと、を備えたこと。【選択図】        図２
2006184432.tif 000002
【特許請求の範囲】
【請求項１】
予め未露光のフィルムが装填されたレンズ付きフィルムユニットにおいて、
プラスチックから形成され、少なくとも撮影レンズが位置する前面を含む前記レンズ付きフィルムユニットを被覆する複数のケース部材と、
所定の前記ケース部材の縁部と他の前記ケース部材の縁部との間隙、または所定の前記ケース部材の縁部と前記レンズ付きフィルムユニットより突出した突出部の縁部との間隙を被覆するシュリンクフィルムと、
を備えたことを特徴とするレンズ付きフィルムユニット。
【請求項２】
前記ケース部材における少なくとも前記撮影レンズに対向する部分は透明に形成されていることを特徴とする請求項１に記載のレンズ付きフィルムユニット。
【請求項３】
前記ケース部材における対物レンズに対向する部分は透明に形成されていることを特徴とする請求項１又は請求項２に記載のレンズ付きフィルムユニット。
【請求項４】
前記ケース部材の前記縁部に沿った外周面にリブが形成され、前記リブの段差部に前記シュリンクフィルムが密着していることを特徴とする請求項１〜３の何れか１項に記載のレンズ付きフィルムユニット。
【請求項５】
予め未露光のフィルムが装填されたレンズ付きフィルムユニットの製造方法において、
プラスチックから形成された複数のケース部材で少なくとも撮影レンズが位置する前面を含む前記レンズ付きフィルムユニットを被覆する工程と、
所定の前記ケース部材の縁部と他の前記ケース部材の縁部との間隙、または所定の前記ケース部材の縁部と前記レンズ付きフィルムユニットより突出した突出部の縁部との間隙をシュリンクフィルムで被覆する工程と、
を備えたことを特徴とするレンズ付きフィルムユニットの製造方法。
【請求項６】
予め未露光のフィルムが装填されたレンズ付きフィルムユニットにおいて、
プラスチックから形成され、前記レンズ付きフィルムユニットの撮影レンズが位置する前面を含む５面を被覆するケース部材と、
前記ケース部材の縁部とレンズ付きフィルムユニットにおける前記ケース部材によって被覆されない面の縁部との間隙を被覆するシュリンクフィルムと、
を備えたことを特徴とするレンズ付きフィルムユニット。
【請求項７】
前記ケース部材における少なくとも撮影レンズに対向する部分は透明に形成されていることを特徴とする請求項６に記載のレンズ付きフィルムユニット。
【請求項８】
前記ケース部材における対物レンズに対向する部分は透明に形成されていることを特徴とする請求項６又は請求項７に記載のレンズ付きフィルムユニット。
【請求項９】
前記ケース部材の縁部に沿った外周面にリブが形成されると共に、前記レンズ付きフィルムユニットにおける前記ケース部材によって被覆されない面の縁部に沿った外周面にリブが形成され、各々の前記リブの段差部に前記シュリンクフィルムが密着していることを特徴とする請求項６〜８の何れか１項に記載のレンズ付きフィルムユニット。
【請求項１０】
予め未露光のフィルムが装填されたレンズ付きフィルムユニットの製造方法において、
プラスチックから形成されたケース部材で前記レンズ付きフィルムユニットの撮影レンズが位置する前面を含む５面を被覆する工程と、
前記ケース部材の縁部とレンズ付きフィルムユニットにおける前記ケース部材によって被覆されない面の縁部との間隙をシュリンクフィルムで被覆する工程と、
を備えたことを特徴とするレンズ付きフィルムユニットの製造方法。
【発明の詳細な説明】
【技術分野】
【０００１】
防水機能及び防塵機能を有するレンズ付きフィルムユニット及びその製造方法に関する。
【背景技術】
【０００２】
未露光のフィルムを予め製造工程で収納したレンズ付きフィルムユニットは、簡便で安価なことにより、広く使用されている。しかし、レンズ付きフィルムユニットを小雨の下や水しぶきがかかる水辺の傍等で用いると、外装部品の隙間から水滴が浸入し、その水滴がフィルムに達すると画質に多大な悪影響を及ぼし、また、高電圧が掛かるストロボ回路に水滴が達するとストロボ回路が破損したり、撮影者が感電したりする虞がある。
【０００３】
そこで、生活防水程度の防水構造にしたレンズ付きフィルムユニットが多数提案されている。
【０００４】
例えば、真空成形された透明な包装容器であって前容器と後容器がヒンジ部と共に一体成形された包装容器の中にレンズ付きフィルムユニットを収納し、前容器と後容器を合わせて重なり部分をヒートシールにより接合したものがある（特許文献１参照）。但し、この包装容器は、撮影レンズ、フィルム巻上げノブ及びストラップ取付部に対応する部分は開口している。
【０００５】
また、防水性及び可撓性のプラスチックフィルムからなる外装シートでレンズ付きフィルムユニットを被覆し、外装シートに設けた開口に外部より巻上げノブのみを挿入して水密にレンズ付きフィルムユニットに係合させたものがある（特許文献２参照）。
【０００６】
また、防水性の透明なシュリンクフィルムでレンズ付きフィルムユニットを被覆し、外部より撮影レンズと巻上げノブをシュリンクフィルムに設けた開口よりレンズ付きフィルムユニットに係合させ、レンズ付きフィルムユニットを効率良くローコストでリサイクルできるようにしたものがある（特許文献３参照）。
【特許文献１】特開２０００−３２１７２１号公報
【特許文献２】特開２００１−２１５５９８号公報
【特許文献３】特開平５−２６５１４１号公報
【発明の開示】
【発明が解決しようとする課題】
【０００７】
レンズ付きフィルムユニットを生活防水程度の防水構造にする場合に、特許文献１においては、包装容器の中にレンズ付きフィルムユニットを収納した後、前容器と後容器を合わせ、重なり部分をヒートシールにより接合するものである。しかし、撮影レンズ等は包装容器の開口部から外部に露出しているので、これらの間隙から水滴が容易に浸入する虞があって、例え生活防水程度であっても防水性能を保証することは困難である。
【０００８】
また、レンズ付きフィルムユニットにおいては、フィルム１本を撮影した後に、販売店を経由してラボに送られ、ラボでは現像のためにレンズ付きフィルムユニットよりフィルムを取り出す。この際に、特許文献１の場合は専用工具を用いて包装容器の接合部を開封しなければならないので、作業に時間がかかって非効率的となる。
【０００９】
特許文献２においては、レンズ付きフィルムユニットをプラスチックフィルムからなる外装シートで被覆したものである。しかし、撮影レンズの前方も該外装シートで被覆しているので、高い透過率が望めないプラスチックフィルムによって撮影レンズへの入射光が減少して露光不足になったり、プラスチックフィルムの皺等によって画質が劣化したりする虞がある。
【００１０】
特許文献３においては、レンズ付きフィルムユニットをシュリンクフィルムで被覆したものである。しかし、撮影レンズや巻上げノブは包装容器の開口部から外部に露出しているので、これらの隙間から水滴が容易に浸入する虞があって、例え生活防水程度であっても防水性能を保証することは困難である。
【００１１】
本発明はかかる問題に鑑みてなされたものであり、少なくとも撮影レンズが位置する前面をプラスチックから形成されたケース部材で被覆したので、簡単で安価な構成で防水性能や防塵性能を保証でき、また、従来技術の如くフィルムで被覆した場合と異なって、画質が劣化することがなく、且つ、ラボでのフィルムの取り出しが容易に行えるようにしたレンズ付きフィルムユニット及びその製造方法を提案することを目的とする。また、防水性能を保証した上に、少なくとも撮影レンズに関しては光学性能を保証できるようにしたレンズ付きフィルムユニットを提案することも目的とする。
【課題を解決するための手段】
【００１２】
上記目的は下記の手段によって達成される。
【００１３】
［請求項１］予め未露光のフィルムが装填されたレンズ付きフィルムユニットにおいて、プラスチックから形成され、少なくとも撮影レンズが位置する前面を含む前記レンズ付きフィルムユニットを被覆する複数のケース部材と、所定の前記ケース部材の縁部と他の前記ケース部材の縁部との間隙、または所定の前記ケース部材の縁部と前記レンズ付きフィルムユニットより突出した突出部の縁部との間隙を被覆するシュリンクフィルムと、を備えたことを特徴とするレンズ付きフィルムユニット。
【００１４】
［請求項２］前記ケース部材における少なくとも前記撮影レンズに対向する部分は透明に形成されていることを特徴とする請求項１に記載のレンズ付きフィルムユニット。
【００１５】
［請求項３］前記ケース部材における対物レンズに対向する部分は透明に形成されていることを特徴とする請求項１又は請求項２に記載のレンズ付きフィルムユニット。
【００１６】
［請求項４］前記ケース部材の前記縁部に沿った外周面にリブが形成され、前記リブの段差部に前記シュリンクフィルムが密着していることを特徴とする請求項１〜３の何れか１項に記載のレンズ付きフィルムユニット。
【００１７】
［請求項５］予め未露光のフィルムが装填されたレンズ付きフィルムユニットの製造方法において、プラスチックから形成された複数のケース部材で少なくとも撮影レンズが位置する前面を含む前記レンズ付きフィルムユニットを被覆する工程と、所定の前記ケース部材の縁部と他の前記ケース部材の縁部との間隙、または所定の前記ケース部材の縁部と前記レンズ付きフィルムユニットより突出した突出部の縁部との間隙をシュリンクフィルムで被覆する工程と、を備えたことを特徴とするレンズ付きフィルムユニットの製造方法。
【００１８】
［請求項６］予め未露光のフィルムが装填されたレンズ付きフィルムユニットにおいて、プラスチックから形成され、前記レンズ付きフィルムユニットの撮影レンズが位置する前面を含む５面を被覆するケース部材と、前記ケース部材の縁部とレンズ付きフィルムユニットにおける前記ケース部材によって被覆されない面の縁部との間隙を被覆するシュリンクフィルムと、を備えたことを特徴とするレンズ付きフィルムユニット。
【００１９】
［請求項７］前記ケース部材における少なくとも撮影レンズに対向する部分は透明に形成されていることを特徴とする請求項６に記載のレンズ付きフィルムユニット。
【００２０】
［請求項８］前記ケース部材における対物レンズに対向する部分は透明に形成されていることを特徴とする請求項６又は請求項７に記載のレンズ付きフィルムユニット。
【００２１】
［請求項９］前記ケース部材の縁部に沿った外周面にリブが形成されると共に、前記レンズ付きフィルムユニットにおける前記ケース部材によって被覆されない面の縁部に沿った外周面にリブが形成され、各々の前記リブの段差部に前記シュリンクフィルムが密着していることを特徴とする請求項６〜８の何れか１項に記載のレンズ付きフィルムユニット。
【００２２】
［請求項１０］予め未露光のフィルムが装填されたレンズ付きフィルムユニットの製造方法において、プラスチックから形成されたケース部材で前記レンズ付きフィルムユニットの撮影レンズが位置する前面を含む５面を被覆する工程と、前記ケース部材の縁部とレンズ付きフィルムユニットにおける前記ケース部材によって被覆されない面の縁部との間隙をシュリンクフィルムで被覆する工程と、を備えたことを特徴とするレンズ付きフィルムユニットの製造方法。
【発明の効果】
【００２３】
請求項１，５に記載のレンズ付きフィルムユニット、請求項４，８に記載のレンズ付きフィルムユニットの製造方法によれば、簡単で安価な構成で防水性能や防塵性能を保証でき、且つ、ラボでのフィルムの取り出しが容易に行うことができる。
【００２４】
請求項２，６に記載のレンズ付きフィルムユニットによれば、ケース部材で被覆されていても、少なくとも撮影レンズに関しては光学性能を保証することができる。
【００２５】
請求項３，７に記載のレンズ付きフィルムユニットによれば、シュリンクフィルムの収縮によって、段差部が互いに逆方向に押圧され、縁部の間隙がより少なくなって、水滴等がその間隙より浸入する危険性が一層減少する。また、シュリンクフィルムが段差部に密着しているので、シュリンクフィルムの端部と各ケースの表面の間隙から水等が浸入して縁部の間隙に達する危険性も減少する。
【発明を実施するための最良の形態】
【００２６】
以下に、本発明のレンズ付きフィルムユニットに関する実施の形態を図を参照して詳細に説明する。
【００２７】
先ず、レンズ付きフィルムユニットの一例を図１に基づいて説明する。図１はレンズ付きフィルムユニットの前方斜視図である。
【００２８】
図１において、レンズ付きフィルムユニット１の内部機構や予め装填したフィルムは前方から前カバー１１により被覆され、後方から後カバー１２により被覆されている。前カバー１１の前面中央には撮影レンズ２１が配置され、その上方にはファインダの対物レンズ２２が配置されている。対物レンズ２２の右にはストロボ光を発光する発光パネル２３が配置され、その下方にはストロボのメインスイッチを作動させるストロボスイッチ釦２４が配置されている。
【００２９】
レンズ付きフィルムユニット１の上面にはレリーズ釦２５、指数器窓２６及びストロボが充電したことを示す充電表示窓２７が配置されている。
【００３０】
なお、本レンズ付きフィルムユニット１はモータによりフィルムを自動的に巻き上げるので、従来のレンズ付きフィルムユニットに特有な巻上げノブはない。
【００３１】
次に、このようなレンズ付きフィルムユニット１を防水構造とした一形態を図２及び図３に基づいて説明する。図２はレンズ付きフィルムユニットを防水構造にした形態の分解斜視図、図３はケースとシュリンクフィルムの拡大断面図であり、左方が撮影レンズ側である。
【００３２】
図２において、レンズ付きフィルムユニット１は、前ケース３１（ケース部材）によって前面、並びに上面、下面、右側面及び左側面の大部分が被覆され、後ケース３２（ケース部材）によって上面、下面、右側面及び左側面の一部、並びに背面が被覆され、前ケース３１と後ケース３２によって全体が被覆される。
【００３３】
前ケース３１はポリプロピレン（ＰＰ）、ポリエチレンテレフタレ−ト（ＰＥＴ）、若しくはポリスチレン（ＰＳ）等の透明なプラスチックからなる板材を真空成形によって加工したものである。従って、背景技術で述べたようなフィルムで被覆するものとは異なって、撮影レンズ２１への入射光量の低減が非常に少なく、且つフィルムのように歪んで画質が劣化することもない。また、対物レンズ２２即ちファインダに関しても同様であり、発光パネル２３に関してもストロボの光量の低減が非常に少ない。また、指数器窓２６及び充電表示窓２７に関してもフィルムのような歪みが生じないので確実に視認できる。また、前ケース３１は可撓性を有していて、押圧することによって容易に撓むので、ストロボスイッチ釦２４やレリーズ釦２５を前ケース３１を介して押圧操作することができる。なお、前ケース３１における撮影レンズ２１、対物レンズ２２及び発光パネル２３に対向する部分は透明のままである必要があるが、その他の部分は印刷等によって適宜意匠を施して不透明に形成してもよい。
【００３４】
後ケース３２は前ケース３１と同様に真空成形によって加工したものである。従って、レンズ付きフィルムユニット１の背面に位置する不図示の接眼レンズに対向する部分は透明である必要があるが、その他の部分は不透明であってもよい。
【００３５】
このようにしてレンズ付きフィルムユニット１を前ケース３１と後ケース３２で被覆する。次に、無端状なシュリンクフィルム３３にて前ケース３１の縁部３１ａと後ケース３２の縁部３２ａとの間隙３４を被覆し、シュリンクフィルム３３に熱風を吹き付ける。すると、加熱されたシュリンクフィルム３３は収縮し、図３に示す如く前ケース３１と後ケース３２に密着する。従って、縁部３１ａと縁部３２ａの間隙３４から水や塵埃が浸入することがなく、レンズ付きフィルムユニット１を防水及び防塵構造に保持することができる。
【００３６】
また、前ケース３１においては縁部３１ａに沿った外周面にリブ３１ｂが形成され、後ケース３２においても縁部３２ａに沿った外周面にリブ３２ｂが形成されていて、シュリンクフィルム３３はリブ３１ｂ及びリブ３２ｂの段差部３１ｃ，３２ｃにまで廻り込んで密着している。従って、シュリンクフィルム３３の収縮によって、段差部３１ｃ，３２ｃが互いに逆方向に押圧され、縁部３１ａと縁部３２ａの間隙３４がより少なくなって、水滴等が間隙３４より浸入する危険性が一層減少する。また、シュリンクフィルム３３が段差部３１ｃ，３２ｃで屈曲して前カース３１及び後ケース３２に密着しているので、シュリンクフィルム３３の端部と各ケースの表面の間隙から水等が浸入して間隙３４に達する危険性も減少する。
【００３７】
また、ラボでの分解作業時にシュリンクフィルム３３を剥がせばよいので、特許文献１の如く包装容器の接合部を開封するのと異なって、作業効率が向上する。
【００３８】
更に、レンズ付きフィルムユニット１の底面等に位置するシュリンクフィルム３３の一部に、煙草の箱を覆う透明ビニールフィルムの取り出し口に設けられている紐のようなものを設けておいて、ラボでの分解作業時にシュリンクフィルム３３を容易に剥離できるようにしてもよい。
【００３９】
その他に、シュリンクフィルム３３における防水対策に寄与しない部分にミシン目を設け、ラボでの分解作業時にシュリンクフィルム３３を容易に剥離できるようにしてもよい。
【００４０】
なお、図２及び図３に示した形態は２個のケース部材でレンズ付きフィルムユニットの全体を被覆した形態だが、場合によっては３個以上の複数のケース部材で全体を被覆するようにしてもよい。この場合は、各ケース部材の縁部の間隙を複数のシュリンクフィルムで同様に被覆する。
【００４１】
その他に、図４のケース部材とシュリンクフィルムの拡大断面図に示す如き構成にしてもよい。図４において、左方が撮影レンズ側である。
【００４２】
図４において、レンズ付きフィルムユニット４０に突出した突出部４０ａを設け、突出部４０ａの縁部４０ｂとケース部材４１の縁部４１ａとの間隙４４、並びに突出部４０ａの縁部４０ｃとケース部材４２の縁部４２ａの間隙４５を、前述と同様な無端状なシュリンクフィルム４３にて被覆する。
【００４３】
この場合も、ケース部材４１の縁部４１ａに沿った外周面にリブ４１ｂが形成され、ケース部材４２の縁部４２ａに沿った外周面にリブ４２ｂが形成されているので、前述と同様な効果が生ずる。
【００４４】
以上は、レンズ付きフィルムユニットを複数のケースで被覆した形態であるが、１個のケースのみで被覆して防水構造を保持することもできる。この様な形態を図５のケース部材とシュリンクフィルムの拡大断面図に示す。図５において、左方が撮影レンズ側である。
【００４５】
図５において、透明なプラスチックからなる板材により真空成形加工されたケース部材５１は、レンズ付きフィルムユニット５０における撮影レンズが位置する前面を含む上面、下面、右側面及び左側面の５面を被覆しており、背面５０ａのみが露出している。そして、ケース部材５１の縁部５１ａとレンズ付きフィルムユニット５０の縁部５０ｂの間隙５４をシュリンクフィルム５３で被覆する。そして、加熱によりシュリンクフィルム５３を収縮させてケース部材５１とレンズ付きフィルムユニット５０に密着させれば、縁部５１ａと縁部５０ｂとの間隙５４より水や塵埃が浸入することがなく、レンズ付きフィルムユニット５０を防水及び防塵構造に保持することができる。また、シュリンクフィルム５３を、ケース部材５１の縁部５１ａに沿った外周面に形成されたリブ５１ｂ、及びレンズ付きフィルムユニット５０の縁部５０ｂに沿った外周面に形成されたリブ５０ｃに密着させ、且つ、リブ５１ｂの段差部５１ｃ及びリブ５０ｃの段差部５０ｄまで廻り込ませて密着させれば、縁部５１ａと端部５０ｂとの間隙５４より水や塵埃が浸入することが一層少なくなる。
【００４６】
なお、必要に応じて、ケース部材により被覆されずに露出する面を背面とせず、撮影レンズ２１が位置する前面を除いた上面、下面、右側面若しくは左側面の何れかとしてもよい。
【００４７】
以上の如き各形態に関し、図３、図４、図５に示した間隙３４，４４，４５，５４は大きく開いた間隙で図示してあが、これは間隙を明示するために誇張して描いたものであって、実際には各縁部が当接するように構成することが望ましい。しかし、各縁部が当接するように構成しても、水が浸入する程度の間隙は必ず生ずる。従って、特許請求の範囲に記載の間隙とは、水が浸入可能な間隙を意味する。
【００４８】
また、前ケース３１、後ケース３２、ケース部材４１，４２，５１をプラスチックからなる板材を真空成形によって加工するとしたが、場合によっては射出成形等によって加工してもよい。
【図面の簡単な説明】
【００４９】
【図１】レンズ付きフィルムユニットの前方斜視図である。
【図２】レンズ付きフィルムユニットを防水構造にした形態の分解斜視図である。
【図３】ケース部材とシュリンクフィルムの拡大断面図である。
【図４】他の形態のケース部材とシュリンクフィルムの拡大断面図である。
【図５】他の形態のケース部材とシュリンクフィルムの拡大断面図である。
【符号の説明】
【００５０】
１，４０，５０  レンズ付きフィルムユニット
２１  撮影レンズ
３１  前ケース
３１ａ，３２ａ，４０ｂ，４１ａ，４２ａ，５０ｂ  縁部
３１ｂ，３２ｂ，４０ｃ，４１ｂ，４２ｂ、５０ｃ，５１ｂ  リブ
３１ｃ，３２ｃ，４０ｄ，４１ｃ，５０ｄ，５１ｃ  段差部
３２  後ケース
３３，４３，５３  シュリンクフィルム
３４，４４，４５，５４  間隙
４０ａ  突出部
４１，４２，５１  ケース部材
５０ａ  背面
【図１】
2006184432.tif 000003
【図２】
2006184432.tif 000004
【図３】
2006184432.tif 000005
【図４】
2006184432.tif 000006
【図５】
2006184432.tif 000007